(57)【要約】  本発明は、３０モル以下のアルキレンオキシドでアルコキシル化されたものであるグリセロール及び／又はポリグリセロールとＣ１２−Ｃ３０脂肪酸とのエステルを含む汚れ処理添加剤、並びに布洗浄用組成物におけるその使用、洗濯洗剤組成物、染み抜き剤組成物、及び布の洗浄方法を提供する。【選択図】なし【特許請求の範囲】
【請求項１】
汚れ処理添加剤の少なくとも０．２重量％、及び
前記汚れ処理添加剤を除く１種以上の界面活性剤又は界面活性剤の混合物の合計で少なくとも１０重量％
を含む布洗浄用組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、布洗浄用組成物。
【請求項２】
前記１種以上の界面活性剤が、少なくとも１種の非イオン性界面活性剤を含み、非イオン性界面活性剤の汚れ処理添加剤に対する重量比は、少なくとも０．５：１である、請求項１に記載の布洗浄用組成物。
【請求項３】
前記アルキレンオキシドが、少なくとも５０モル％のエチレンオキシドを含む、請求項１又は２に記載の布洗浄用組成物。
【請求項４】
前記脂肪酸が、存在する脂肪酸の総重量に対して少なくとも５０重量％のイソステアリン酸を含む、請求項１〜３のいずれか１項に記載の布洗浄用組成物。
【請求項５】
前記エステルが、少なくとも２０重量％のモノエステルを含む、請求項１〜４のいずれか１項に記載の布洗浄用組成物。
【請求項６】
前記汚れ処理添加剤が、グリセロールとＣ16−Ｃ20脂肪酸とのエステルを含み、前記グリセロールは、６〜１０モルのエチレンオキシドでエトキシル化されたものである、請求項１〜５のいずれか１項に記載の布洗浄用組成物。
【請求項７】
汚れ処理添加剤の少なくとも０．２重量％、
前記汚れ処理添加剤を除く１種以上の界面活性剤又は界面活性剤の混合物の合計で少なくとも１０重量％、及び
ビルダーの少なくとも０．５重量％
を含む洗濯洗剤組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、洗濯洗剤組成物。
【請求項８】
前記１種以上の界面活性剤が、少なくとも１種の非イオン性界面活性剤を含み、非イオン性界面活性剤の汚れ処理添加剤に対する重量比は、少なくとも０．５：１である、請求項７に記載の洗濯洗剤組成物。
【請求項９】
前記アルキレンオキシドが、少なくとも５０モル％のエチレンオキシドを含む、請求項７又は８に記載の洗濯洗剤組成物。
【請求項１０】
前記脂肪酸が、存在する脂肪酸の総重量に対して少なくとも５０重量％のイソステアリン酸を含む、請求項７〜９のいずれか１項に記載の洗濯洗剤組成物。
【請求項１１】
前記エステルが、少なくとも２０重量％のモノエステルを含む、請求項７〜１０のいずれか１項に記載の洗濯洗剤組成物。
【請求項１２】
前記汚れ処理添加剤が、グリセロールとＣ16−Ｃ20脂肪酸とのエステルを含み、前記グリセロールは、６〜１０モルのエチレンオキシドでエトキシル化されたものである、請求項７〜１１のいずれか１項に記載の洗濯洗剤組成物。
【請求項１３】
前記１種以上の界面活性剤が、前記洗濯洗剤組成物の総重量に対して少なくとも５重量％のアニオン性界面活性剤を含む、請求項７〜１２のいずれか１項に記載の洗濯洗剤組成物。
【請求項１４】
前記洗濯洗剤組成物が前記１種以上の界面活性剤又は界面活性剤の混合物を合計で少なくとも１５重量％含み、前記洗濯洗剤組成物が液体洗濯洗剤組成物である、請求項７〜１３のいずれか１項に記載の洗濯洗剤組成物。
【請求項１５】
前記洗濯洗剤組成物が、単位剤形中にカプセル化され、１０重量％以下の水を含む液体洗濯洗剤組成物である、請求項１４に記載の洗濯洗剤組成物。
【請求項１６】
汚れ処理添加剤の少なくとも０．２重量％、
前記汚れ処理添加剤を除く１種以上の界面活性剤又は界面活性剤の混合物の合計で少なくとも１０重量％、及び
ビルダーの少なくとも０．５重量％
を含む染み抜き剤組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、染み抜き剤組成物。
【請求項１７】
前記汚れ処理添加剤が、請求項３〜６のいずれか１項に記載の汚れ処理添加剤である、請求項１６に記載の染み抜き剤組成物。
【請求項１８】
前記一つ以上の界面活性剤が、前記布洗浄用組成物の総重量に対して少なくとも５重量％のアルコールアルコキシレートを含む、請求項１６又は１７に記載の染み抜き剤組成物。
【請求項１９】
前記染み抜き剤組成物が、少なくとも２重量％の過酸化物漂白剤をさらに含む、請求項１６〜１８のいずれか１項に記載の染み抜き剤組成物。
【請求項２０】
汚れ処理添加剤のある量を布に適用すること、及び
前記布に、すすぎ液を適用すること
を含む布を洗浄する方法であって、
前記汚れ処理添加剤がグリセロール及び／又はポリグリセロールとＣ１２−Ｃ３０脂肪酸とのエステルを含み、前記グリセロール及び／又はポリグリセロールが３０モル以下のアルキレンオキシドでアルコキシル化されたものである、方法。
【請求項２１】
前記すすぎ液が、水を含む、請求項２０に記載の方法。
【請求項２２】
前記汚れ処理添加剤が、請求項１〜６のいずれか１項に記載の布洗浄用組成物、請求項７〜１５のいずれか１項に記載の洗濯洗剤組成物、又は請求項１６〜１９のいずれか１項に記載の染み抜き剤組成物に含まれる、請求項２０又は２１に記載の方法。
【請求項２３】
布上の汚れを処理するための、グリセロール及び／又はポリグリセロールとＣ12−Ｃ30脂肪酸とのエステルの使用であって、前記グリセロール及び／又はポリグリセロールが３０モル以下のアルキレンオキシドでアルコキシル化されたものである、使用。
【請求項２４】
前記エステルが、染み抜き剤組成物又は洗濯洗剤組成物中に含まれる、請求項２３に記載の使用。
【請求項２５】
前記エステルで処理された前記布上の汚れが、前記エステルが水で置き換えられた同等の配合である染み抜き剤組成物又は洗濯洗剤組成物で処理された汚れよりも少なくとも１０％高いデルタＹ値を有する、請求項２４に記載の使用。
【請求項２６】
前記汚れが、コーヒー、ドレッシング、オートミール、チョコレート、草、オリーブオイル、煤、及びこれらの混合物から成る群より選択される、請求項２５に記載の使用。
【発明の詳細な説明】
【技術分野】
【０００１】
本発明は、汚れ処理添加剤及び布洗浄用組成物におけるその使用、洗濯洗剤組成物及び染み抜き剤組成物、汚れ処理添加剤を布に適用することによる布を洗浄する方法、並びに布を洗浄するための汚れ処理添加剤の使用に関する。
【背景技術】
【０００２】
布地からの汚れの除去は、布洗浄における公知の問題である。公知の布洗浄用組成物及び洗浄剤を使用することで、広範囲の様々な汚れの洗浄に成功することが示されているが、油性、油脂性、又は粒子性の汚れの除去は、そのような組成物が一般的に油分の可溶化に適する溶媒を含有していない限り、多くの場合問題となる。油性汚れ除去のために特別に配合された公知の組成物では、その使用が実用的でないか、又は満足のいく結果が得られない可能性がある。
【発明の概要】
【発明が解決しようとする課題】
【０００３】
本発明は、油系の汚れを例とする汚れの布からの除去を改善しようとするものである。
【課題を解決するための手段】
【０００４】
本発明は、３０モル以下のアルキレンオキシドでアルコキシル化されたものであるグリセロール及び／又はポリグリセロールとＣ12−Ｃ30脂肪酸とのエステルを含む汚れ処理添加剤を布に適用することが、１種類以上の汚れの布からの除去に有効であり得るという出願人の認識に部分的に基づいている。
【発明を実施するための形態】
【０００５】
従って、１つの態様から見ると、本発明は、
汚れ処理添加剤の少なくとも０．２重量％、及び
汚れ処理添加剤を除く１種以上の界面活性剤又はその混合物の合計で少なくとも１０重量％
を含む布洗浄用組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、布洗浄用組成物を提供する。
【０００６】
理論に束縛されるものではないが、汚れ処理添加剤中に含まれる脂肪酸（一般的には疎水性）部分の鎖長さとアルキレンオキシド（一般的には親水性）部分の量との間のバランスによって、この汚れ処理添加剤は、ある程度の水への溶解性を有すると同時に、油類への充分な溶解性も維持し、公知の汚れ処理添加剤よりも油性又は油脂性汚れなどの汚れを布から溶解する高い能力を有することが可能となっているであろうと考えられる。このことによって、汚れ処理添加剤がこのような汚れを布から洗浄液中へと除去する能力を改善することができる。脂肪酸のＣ12−Ｃ30の鎖長さによって、この効果を達成するために充分な疎水性を提供することができる。脂肪酸の炭素鎖長さがこれよりも短いと、充分な疎水性が提供され得ない。３０モルを超えるアルキレンオキシドを含む場合は、提供される親水性が過剰となり得る。
【０００７】
布洗浄用組成物はまた、汚れ処理添加剤を除く１種以上の界面活性剤又はその混合物を合計で少なくとも１０重量％含む。これらのさらなる界面活性剤は、布洗浄用組成物の洗浄効果を改善し、及び広範囲にわたる条件下にて、水性配合物又は洗浄液中における汚れ処理添加剤の可溶性も維持し得る。この１種以上の界面活性剤は、少なくとも１種の非イオン性界面活性剤を含んでよい。非イオン性界面活性剤の汚れ処理添加剤に対する重量比は、少なくとも０．５：１、好ましくは、少なくとも０．８：１、より好ましくは、少なくとも１：１であってよい。非イオン性界面活性剤は、広範囲にわたる条件下にて、汚れ処理添加剤を、水性配合物又は洗浄液中で安定に可溶性状態に維持する補助となり得る。
【０００８】
布洗浄用組成物は、染み抜き剤組成物であってよい。布洗浄用組成物は、洗濯洗剤組成物であってよい。布洗浄用組成物は、染み抜き剤組成物又は洗濯洗剤組成物に関して本明細書で述べる特徴のいずれを含んでいてもよい。
【０００９】
布洗浄用組成物は、少なくとも０．２重量％、好ましくは、少なくとも０．５重量％、より好ましくは、少なくとも１重量％、より好ましくは、少なくとも２重量％、なおより好ましくは、少なくとも５重量の汚れ処理添加剤を含む。布洗浄用組成物は、２０重量％以下、好ましくは、１５重量％以下、より好ましくは、１０重量％以下の汚れ処理添加剤を含んでよい。
【００１０】
布洗浄用組成物は、さらに、染み抜き剤組成物又は洗濯洗剤組成物に関連して本明細書で考察される１種以上のビルダーを、染み抜き剤組成物又は洗濯洗剤組成物に関連して本明細書で考察される量で含んでよい。ビルダーは、布洗浄用組成物中に含められて、用いられる界面活性剤の効果を高め得る。ビルダーは、洗剤ビルダーと称される場合もある。ビルダーは、１つ以上の種類のビルダーを含んでよい。
【００１１】
本明細書で用いられる場合、「例えば」、「例として」、「など」、又は「含む」の用語は、より一般的な主題をさらに明確にする例を導入することを意図するものである。特に断りのない限り、これらの例は、本開示中で説明される適用を理解するための単なる補助として提供されるものであり、いかなる形であっても、限定することを意図するものではない。
【００１２】
置換基中の炭素原子の数を記載する場合（例：「Ｃ1−Ｃ6」）、その数が、いずれの分岐基中に存在するいずれの炭素原子も含む置換基中に存在する炭素原子の総数を意味することは理解される。加えて、例えば脂肪酸中の炭素原子の数を記載する場合、これは、カルボン酸の炭素原子及びいずれの分岐基中に存在するいずれの炭素原子も含む炭素原子の総数を意味する。
【００１３】
本明細書で用いられるいずれの上側値若しくは下側値、又は範囲の限界値も、独立して組み合わされてよいことは理解される。
【００１４】
本発明で用いられる汚れ処理添加剤の作製に用いられてよい化学物質の多くは、天然源から得られる。そのような化学物質は、典型的には、それらの天然起源に起因して、化学種の混合物を含む。そのような混合物の存在により、本明細書で定められる種々のパラメーターは、平均値である場合があり、非整数であり得る。
【００１５】
本明細書で用いられる場合、「グリセロール残基」の用語は、他に定めのない限り、１つ以上の活性水素原子の除去によってグリセロール分子から誘導される有機基又は有機部分を意味し、各活性水素原子は、グリセロール分子上に存在するヒドロキシル基のうちの１つからのものである。
【００１６】
汚れ処理添加剤は、グリセロール及び／又はポリグリセロールのエステルを含む。汚れ処理添加剤は、グリセロール及び／又はポリグリセロールのエステルであってよい。エステルは、グリセロールを含んでよい。エステルは、ポリグリセロールを含んでよい。ポリグリセロールは、ジグリセロール、トリグリセロール、テトラグリセロール、ペンタグリセロール、ヘキサグリセロール、及び／又はこれらの混合物を含んでよい。
【００１７】
グリセロール及び／又はポリグリセロールは、アルコキシル化されている。アルコキシル化とは、アルキレンオキシド残基又はアルキレンオキシド基を、グリセロールのヒドロキシル基に結合させるものである。
【００１８】
グリセロール及び／又はポリグリセロールは、３０モル以下、好ましくは、２６モル以下、より好ましくは、２２モル以下のアルキレンオキシドでアルコキシル化されている。グリセロール及び／又はポリグリセロールは、１２モル以下、好ましくは、１０モル以下のアルキレンオキシドでアルコキシル化されてよい。
【００１９】
グリセロール及び／又はポリグリセロールは、少なくとも１モルのアルキレンオキシドでアルコキシル化されている。好ましくは、グリセロール及び／又はポリグリセロールは、少なくとも２モル、より好ましくは、少なくとも４モル、なおより好ましくは、少なくとも６モルのアルキレンオキシドでアルコキシル化されたものである。
【００２０】
染み抜き剤添加剤中のアルキレンオキシド残基の総数は、好ましくは、１〜３０、より好ましくは、６〜２２、特に好ましくは、６〜１２の範囲内である。
【００２１】
アルキレンオキシド基（ＡＯ）は、典型的には、式：−（ＣrＨ2rＯ）−の基であり、式中、ｒは、２、３、又は４、好ましくは、２又は３であり、すなわち、エチレンオキシ（−Ｃ2Ｈ4Ｏ−）又はプロピレンオキシ（−Ｃ3Ｈ6Ｏ−）基である。ＡＯは、アルキレンオキシド鎖に沿った異なる基を表してよい。アルキレンオキシドは、エチレンオキシド、プロピレンオキシド、ブチレンオキシド、又はこれらの混合を含んでよい。アルキレンオキシド鎖は、エチレンオキシドを含んでよい。アルキレンオキシドは、エチレンオキシドから本質的に成るか、又はエチレンオキシドから成っていてよい。エチレンオキシド単位及び非エチレンオキシド単位が用いられる場合、用いられるエチレンオキシド単位のモル比は、少なくとも５０モル％、好ましくは、少なくとも７０モル％、より好ましくは、少なくとも８０モル％、最も好ましくは、少なくとも９０モル％であってよい。アルキレンオキシドは、少なくとも５０モル％のエチレンオキシドを含んでよい。
【００２２】
その又は各々の（ポリ）アルキレンオキシド鎖中のアルキレンオキシド残基の数は、好ましくは、１〜１０、より好ましくは、１〜８、特に好ましくは、１〜６、最も好ましくは、１〜４の範囲内である。１つのアルキレンオキシド鎖中に、少なくとも５０モル％のアルキレンオキシド残基が存在してよい。
【００２３】
グリセロール及び／又はポリグリセロールは、エトキシル化されていてよい。エトキシル化の度合いは、上記で考察したアルコキシル化の度合いと同等であってよい。
【００２４】
アルコキシル化グリセロール及び／又はポリグリセロールは、脂肪酸でエステル化される。
【００２５】
エステルは、モノ‐、ジ‐、及びトリ‐エステルの混合物であってよい。エステルは、４つ以上の遊離ヒドロキシル基を持つポリグリセロールが存在する場合、これらよりも多価のエステルを含んでよい。
【００２６】
汚れ処理添加剤は、ある量のエステル化されていないアルコキシル化グリセロール及び／又はポリグリセロールを含んでよい。汚れ処理添加剤は、少なくとも５重量％、好ましくは、少なくとも１０重量％の非エステル化アルコキシル化グリセロール又はポリグリセロールを含んでよい。汚れ処理添加剤は、４０重量％以下、好ましくは、３０重量％以下の非エステル化アルコキシル化グリセロール又はポリグリセロールを含んでよい。
【００２７】
汚れ処理添加剤は、少なくとも２０重量％、好ましくは、少なくとも２５重量％、より好ましくは、少なくとも３０重量％、さらにより好ましくは、少なくとも３５重量％のアルコキシル化グリセロール及び／又はポリグリセロール‐脂肪酸モノエステルを含んでよい。汚れ処理添加剤は、７０重量％以下、好ましくは、６５重量％以下、より好ましくは、６０重量％以下、さらにより好ましくは、５５重量％以下の脂肪酸モノエステルを含んでよい。
【００２８】
汚れ処理添加剤は、少なくとも１０重量％、好ましくは、少なくとも１５重量％、より好ましくは、少なくとも２０重量％のアルコキシル化グリセロール及び／又はポリグリセロール‐脂肪酸ジエステルを含んでよい。汚れ処理添加剤は、５０重量％以下、好ましくは、４５重量％以下、より好ましくは、４０重量％以下の脂肪酸ジエステルを含んでよい。
【００２９】
汚れ処理添加剤は、少なくとも１重量％、好ましくは、少なくとも２重量％、より好ましくは、少なくとも５重量％のアルコキシル化グリセロール及び／又はポリグリセロール‐脂肪酸トリエステルを含んでよい。汚れ処理添加剤は、２５重量％以下、好ましくは、２０重量％以下、より好ましくは、１５重量％以下の脂肪酸トリエステルを含んでよい。
【００３０】
汚れ処理添加剤中の脂肪酸は、少なくとも１２個の炭素原子、好ましくは、少なくとも１４個の炭素原子、より好ましくは、少なくとも１６個の炭素原子を含む。
【００３１】
少なくとも１２個の炭素原子を持つ脂肪酸を汚れ処理添加剤中に含めることにより、汚れ処理添加剤の疎水性を有利に高めることができ、公知の汚れ処理添加剤よりも油性又は油脂性汚れなどの汚れを布から溶解する高い能力を汚れ処理添加剤が有するように油類への充分な溶解性が提供される。
【００３２】
汚れ処理添加剤中の脂肪酸は、３０個以下の炭素原子、好ましくは、２６個以下の炭素原子、より好ましくは、２２個以下の炭素原子、さらにより好ましくは、２０個以下の炭素原子を含む。脂肪酸は、１８個の炭素原子を含んでよい。
【００３３】
適切な脂肪酸は、例えば、植物又は動物エステルなどの天然源から得られてよい（例：パーム油、ナタネ油、パーム核油、ココナッツ油、ババス油、ダイズ油、ヒマシ油、獣脂、鯨若しくは魚油、グリース、ラード、及びこれらの混合物）。脂肪酸はまた、例えば、“Fatty Acids in Industry”, Ed. Robert W Johnson, Earl Fritz, Marcel Dekker Inc, 1989 ISBN 0-8247-7672-0に記載されるように、合成によって作製されてもよい。
【００３４】
従って、適切な直鎖状脂肪酸としては、ココエート、カプリン酸、ラウリン酸、ミリスチン酸、パルミチン酸、ステアリン酸、オレイン酸、リノール酸、アラキドン酸、エルカ酸、ベヘン酸、及びこれらの混合物が挙げられ；並びに適切な分岐鎖状脂肪酸としては、イソステアリン酸、イソパルミチン酸、イソミリスチン酸、イソアラキン酸、イソベヘン酸、及びこれらの混合物などのイソ酸が挙げられる。１つの実施形態では、脂肪酸は、オレイン酸、イソステアリン酸、及び／又はイソベヘン酸、より好ましくは、オレイン酸及び／又はイソステアリン酸、特には、イソステアリン酸である。
【００３５】
１つの好ましい実施形態では、脂肪酸は、分岐鎖状である。好ましい分岐鎖状脂肪酸は、イソステアリン酸、イソミリスチン酸、及び／又はイソベヘン酸、より好ましくは、イソステアリン酸及び／又はイソベヘン酸、特には、イソステアリン酸である。
【００３６】
エステルの脂肪酸成分は、分岐鎖状及び直鎖状脂肪酸の混合物を含んでよい。好ましくは、脂肪酸混合物は、いずれも存在する脂肪酸の総重量に基づいて、少なくとも５０重量％、より好ましくは、少なくとも７０重量％、さらにより好ましくは、少なくとも８０重量％の分岐鎖状脂肪酸、及び３０重量％未満、より好ましくは、２０重量％未満の直鎖状脂肪酸を含む。
【００３７】
エステルの脂肪酸成分は、好ましくは、平均して３個未満、より好ましくは、２．５個未満、特に、１．０５〜２個、特には、１．１〜１．４個の範囲内の炭素原子を持つアルキル分岐側鎖（最も長い直鎖の炭素原子に直接結合している）を含み、すなわち、分岐側鎖は、主としてメチル基である。本発明の好ましい実施形態では、側鎖分岐基の少なくとも５０数量％、より好ましくは、少なくとも６０数量％、特に好ましくは、少なくとも７０数量％がメチル基である。さらに好ましい実施形態では、少なくとも３０数量％、より好ましくは、少なくとも４０数量％、特に好ましくは、少なくとも５０数量％の分岐鎖状脂肪酸が、単一のメチル分岐側鎖を含有する。
【００３８】
本発明での使用に適する分岐鎖状脂肪酸としては、イソステアリン酸、イソパルミチン酸、イソミリスチン酸、イソアラキン酸、及びイソベヘン酸などのイソ酸；ネオデカン酸などのネオ酸（neo-acids）；並びに／又はアンチイソ酸（anti-iso acids）が挙げられる。好ましくは、分岐鎖状脂肪酸は、イソ酸である。イソステアリン酸が好ましい。脂肪酸は、少なくとも４０重量％のイソステアリン酸、好ましくは、少なくとも５０重量％のイソステアリン酸、より好ましくは、少なくとも６０重量％のイソステアリン酸、さらにより好ましくは、少なくとも７０重量％のイソステアリン酸を含んでよい。脂肪酸は、イソステアリン酸から本質的に成るか、又はイソステアリン酸から成っていてよい。
【００３９】
脂肪酸は、飽和又は不飽和であってよい。好ましくは、脂肪酸混合物は、いずれも存在する脂肪酸の総重量に基づいて、少なくとも５０重量％、より好ましくは、少なくとも７０重量％、さらにより好ましくは、少なくとも８０重量％の飽和脂肪酸を含み、及び３０重量％未満、より好ましくは、２０重量％未満の不飽和脂肪酸を含む。
【００４０】
汚れ処理添加剤は、好ましくは、式（Ｉ）の化合物であり：
Ｇｌｙ．［（ＡＯ）p．Ｒ］q（Ｉ）
式中：
Ｇｌｙは、グリセロール及び／又はポリグリセロール残基、好ましくは、グリセロール残基であり；
ＡＯは、アルキレンオキシド残基であり；
各Ｒは、独立して、Ｃ12−Ｃ30脂肪酸残基、又はＨであり、少なくとも１つのＣ12−Ｃ30脂肪酸残基が存在し；
各ｐは、独立して、０〜１２であり；並びに
ｑは、少なくとも３であり、好ましくは、ｑは、３であり、
ここで、化合物中のＡＯ残基の総数は、１〜３０である。
【００４１】
アルキレンオキシド残基及び脂肪酸残基は、グリセロール残基上にランダムに、及び統計的に分布されているため、汚れ処理添加剤中の一部の分子では、すべてのＲがＨであってよい（脂肪酸によってエステル化されていないグリセロール残基に相当）。
【００４２】
指数ｐの値は、平均値であり、アルキレンオキシド鎖長における統計的変動を含む。
【００４３】
汚れ処理添加剤は、グリセロールとＣ16−Ｃ20脂肪酸とのエステルを含んでよく、ここで、グリセロールは、６〜１０モルのエチレンオキシドでエトキシル化されたものである。
【００４４】
汚れ処理添加剤は、ＰＥＧ‐８  グリセリルイソステアレート（８モルのエチレンオキシドでエトキシル化され、イソステアリン酸でエステル化されたグリセロール）を含むか、ＰＥＧ‐８  グリセリルイソステアレートから本質的に成るか、又はＰＥＧ‐８  グリセリルイソステアレートから成っていてよい。
【００４５】
好ましくは、汚れ処理添加剤は、少なくとも５０重量％、より好ましくは、少なくとも６０重量％、さらにより好ましくは、少なくとも７０重量％、なおより好ましくは、少なくとも８０重量％のＰＥＧ‐８  グリセリルイソステアレートを含む。
【００４６】
分子の親水性‐親油性バランス（ＨＬＢ値）は、それが親水性であるか又は親油性であるかの度合いの尺度であり、分子の異なる領域に対する値を算出することによって決定される。０のＨＬＢ値は、完全な親油性／疎水性分子に相当し、２０の値は、完全な親水性／疎油性分子に相当する。
【００４７】
汚れ処理添加剤は、少なくとも６、好ましくは、少なくとも８、より好ましくは、少なくとも９のＨＬＢ値を有してよい。汚れ処理添加剤は、１４以下、好ましくは、１２以下、より好ましくは、１１以下のＨＬＢ値を有してよい。汚れ処理添加剤は、約１０のＨＬＢ値を有してよい。
【００４８】
ＨＬＢ値は、汚れ処理添加剤の溶解性挙動を、ＨＬＢが既知である標準組成物の溶解性挙動と比較することによって実験的に測定されてよく、又は例えばグリフィン法を用いることによって理論的に算出されてもよい。
【００４９】
単独の場合、汚れ処理添加剤は、水中において低い溶解性を有し得る。汚れ処理添加剤単独では、すべて２０℃で測定した場合で、水中で少なくとも５重量％の濃度にて、好ましくは、水中で少なくとも２重量％の濃度にて、より好ましくは、水中で少なくとも１重量％の濃度にて、なおより好ましくは、水中で少なくとも０．５重量％の濃度にて、水との安定な均質溶液を形成しない場合がある。理論に束縛されるものではないが、他の界面活性剤が存在しない場合のこの比較的低い水中での溶解性によって、汚れ処理添加剤は、油類への溶解性が高められ、従って、油性又は油脂性汚れなどの汚れを布から溶解するより高い能力を有することができる。このことにより、汚れ処理添加剤がこのような汚れを布から洗浄液中へと除去する能力を改善することができる。
【００５０】
汚れ処理添加剤を水性配合物又は洗浄液中に安定に維持するために、さらなる界面活性剤又は界面活性剤の混合物が必要であり得る。さらなる界面活性剤は、少なくとも１種の非イオン性界面活性剤を含んでよく、非イオン性界面活性剤の汚れ処理添加剤に対する重量比は、少なくとも０．５：１、好ましくは、少なくとも０．８：１、より好ましくは、少なくとも１：１であってよい。非イオン性界面活性剤は、広範囲にわたる条件下にて、汚れ処理添加剤を、水性配合物又は洗浄液中で安定に可溶性状態に維持する補助となり得る。
【００５１】
さらなる態様から見ると、本発明は、
汚れ処理添加剤の少なくとも０．２重量％、
汚れ処理添加剤を除く１種以上の界面活性剤又はその混合物の合計で少なくとも１０重量％、及び
ビルダーの少なくとも０．５重量％
を含む染み抜き剤組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、染み抜き剤組成物を提供する。
【００５２】
染み抜き剤組成物は、布から汚れを溶解するために布上の汚れに適用されてよく、その後、すすぎ液が布に適用されて、染み抜き剤組成物及び溶解した汚れが除去される。すすぎ液は、水を含んでよい。
【００５３】
染み抜き剤組成物中の汚れ処理添加剤は、汚れ処理添加剤に関して本明細書で考察する特徴のいずれを含んでいてもよい。
【００５４】
染み抜き剤組成物は、少なくとも０．２重量％、好ましくは、少なくとも０．５重量％、より好ましくは、少なくとも１重量％、より好ましくは、少なくとも２重量％、なおより好ましくは、少なくとも５重量％の汚れ処理添加剤を含む。染み抜き剤組成物は、２０重量％以下、好ましくは、１５重量％以下、より好ましくは、１０重量％以下の汚れ処理添加剤を含んでよい。
【００５５】
染み抜き剤組成物はまた、汚れ処理添加剤を除く１種以上の界面活性剤又はその混合物を合計で少なくとも１０重量％含む。これらのさらなる界面活性剤は、染み抜き剤組成物の洗浄効果を改善し、また、広範囲にわたる条件下にて、汚れ処理添加剤を、水性配合物中で安定に可溶性状態に維持し得る。１種以上の界面活性剤は、少なくとも１種の非イオン性界面活性剤を含んでよい。非イオン性界面活性剤の汚れ処理添加剤に対する重量比は、少なくとも０．５：１、好ましくは、少なくとも０．８：１、より好ましくは、少なくとも１：１であってよい。非イオン性界面活性剤は、広範囲にわたる条件下にて、汚れ処理添加剤を、水性配合物又は洗浄液中で安定に可溶性状態に維持する補助となり得る。
【００５６】
染み抜き剤組成物中に存在する（１若しくは複数の）界面活性剤は、様々な機能を果し得る。汚れ処理添加剤は、染み抜き剤組成物中の界面活性剤の量の測定に含まれなくてよい。組成物の汚れ除去性能を改善するために、洗剤界面活性剤が含まれてよい。例としては、
ラウリルエーテル硫酸ナトリウムなどのエーテルサルフェート（アルコールアルコキシレートサルフェートエステル）及びエーテルホスフェート、例えば、Ａｔｌａｓ  Ｇ２２０３又はＡｔｌａｓ  Ｇ２２０７の名称でクロダ（Croda）から販売されているもの、イソプロピルアミンドデシルベンゼンスルホネートなどのアルキル及びアルカリールスルホネート；アルコールサルフェート、スルホスクシネートモノ‐及びジ‐エステル、エーテルカルボキシレートなどのアニオン性洗剤；並びに
アルキルフェノールエトキシレート、アルコールアルコキシレート、特にエトキシレートなど、「Ｓｙｎｐｅｒｏｎｉｃ」の名称でクロダから販売されているもの、特に、Ａ７、９１／２．５、９１／５  １３／１０、ＮＣＡ  ８５０、ＮＣＥ  ７、及びＬＦ／ＲＡ  ３０などのグレードのものを含む非イオン性洗剤
が挙げられる。
【００５７】
染み抜き剤組成物は、汚れ処理添加剤を除く１種以上の界面活性剤又はその混合物を合計で、少なくとも１５重量％、好ましくは、少なくとも２０重量％含んでよい。染み抜き剤組成物は、汚れ処理添加剤を除く１種以上の界面活性剤又はその混合物を合計で、５０重量％以下、好ましくは、４０重量％以下、より好ましくは、３０重量％以下含んでよい。界面活性剤は、水中での汚れ処理添加剤の安定性又は溶解性を補助し得る。
【００５８】
界面活性剤は、染み抜き剤組成物の総重量に基づいて、少なくとも３重量％のアルコールアルコキシレート、好ましくは、少なくとも５重量％、より好ましくは、少なくとも８重量％、さらにより好ましくは、少なくとも１０重量％のアルコールアルコキシレートを含んでよい。アルコールアルコキシレートは、Ｃ８−Ｃ１８アルコールアルコキシレート、好ましくは、Ｃ１０−Ｃ１６アルコールアルコキシレートであってよい。アルコールアルコキシレートは、２０モル以下のアルキレンオキシドで、好ましくは、２〜２０モルのアルキレンオキシドで、より好ましくは、２〜１０モルのアルキレンオキシドでアルコキシル化されていてよい。アルキレンオキシドは、エチレンオキシドであってよい。アルコールアルコキシレートは、水中での汚れ処理添加剤の安定性又は溶解性を補助し得る。
【００５９】
用いられる界面活性剤の効果を高めるために、染み抜き剤組成物中にビルダーが含められる。ビルダーは、洗剤ビルダーと称される場合もある。ビルダーは、１種以上のビルダー種を含んでよい。適切なビルダーの例としては、ホスフェート、オルソホスフェート、四カリウムピロホスフェートなどのポリホスフェート、ナトリウムメタシリケートなどのシリケート及び／又はメタシリケート、並びに、クエン酸ナトリウムを例とするクエン酸塩及びグルコン酸塩などのヒドロキシカルボン酸及びその水溶性塩、特にＮａ若しくはＫを例とするアルカリ金属塩、ホスホン酸及びホスホノアルカンカルボン酸並びにその水溶性塩、特にＮａ若しくはＫを例とするアルカリ金属塩などの有機ビルダーが挙げられる。染み抜き剤組成物は、少なくとも０．５重量％のビルダー、好ましくは、少なくとも１重量％のビルダー、より好ましくは、少なくとも２重量％のビルダー、さらにより好ましくは、少なくとも５重量％のビルダーを含む。染み抜き剤組成物は、３０重量％以下のビルダー、より好ましくは、２０重量％以下のビルダー、さらにより好ましくは、１０重量％以下のビルダーを含んでよい。
【００６０】
ビルダーの典型的な割合は、染み抜き剤組成物の重量に対して、０．５〜３０重量％、より通常は、１〜２０重量％、望ましくは、２〜１０重量％である。
【００６１】
染み抜き剤組成物中に含まれてよいその他の成分としては、界面活性洗剤物質、分散剤及び再付着防止剤、芳香剤、並びに漂白剤、特に過酸化物漂白剤が挙げられる。その、又は各々の過酸化物漂白剤は、有機及び／若しくは無機過酸化物、又は過酸化水素、又は過酸化水素源であってよい。
【００６２】
染み抜き剤組成物は、少なくとも１重量％、好ましくは、少なくとも２重量％、より好ましくは、少なくとも５重量％の過酸化物漂白剤を含んでよい。染み抜き剤組成物は、２０重量％以下、好ましくは、１５重量％以下、より好ましくは、１０重量％以下の過酸化物漂白剤を含んでよい。
【００６３】
染み抜き剤組成物の残量は、水であってよい。染み抜き剤組成物は、少なくとも３０重量％の水、好ましくは、少なくとも４０重量％の水、より好ましくは、少なくとも５０重量％の水を含んでよい。
【００６４】
染み抜き剤組成物は、液体として、又は塗り広げることのできるゲル若しくは固体として配合されてよい。特定の所望される物理的形態を染み抜き剤配合物で達成するために、上述のように汚れ処理添加剤と共に用いられ得る水を例とする溶媒及びキャリアなどのその他の配合成分が含められてよい。特に、水は、ベンゾエート又はフェニルアルキルカルボキシレートエステルと共に、それらを水性エマルジョン、望ましくは水性マイクロエマルジョンとして配合するために、キャリアとして用いられてよい。この手法では、典型的には、マイクロエマルジョンを形成するために、アルコールアルコキシレートを例とする非イオン性界面活性剤とアルキルポリグルコシドを例とするさらなる界面活性剤との組み合わせが、汚れ処理添加剤を水中にマイクロ乳化するために用いられる。
【００６５】
汚れ処理添加剤は、染み抜き剤組成物中において、溶媒又はキャリアとしての水と合わせて用いられることが多い。例えば水溶液としての水との組み合わせは、汚れ処理添加剤単独よりも効果的な染み抜き剤であり得る。用いられる場合、水の汚れ処理添加剤に対する重量比は、典型的には、５０：１〜１：１０であり、例えば、汚れ処理添加剤の５〜２５重量％、特には、７〜１５重量％などの５〜７５重量％水溶液を用いることによる。染み抜き剤組成物がゲル配合物である別の実施形態では、汚れ処理添加剤が水性系で有し得るゲル領域内である汚れ処理添加剤の水中での濃度を用いることが望ましいであろう。
【００６６】
用いられる染み抜き剤組成物の量は、一般的に、処理される布を処理し、及び通常は湿潤させるのに充分な量である。処理される布の領域は、一般的に、布を洗濯洗剤及び水で洗浄するか又は布を水ですすぎする前に、染み抜き剤組成物を布に、例えば予めスポッティングすることによって処理することが所望されるすべての汚れ領域を含む。布の汚れ領域は、配合物の物理的形態に応じて、汚れ領域上又はそれを覆うように染み抜き剤組成物を、例えばブラシによって塗り広げることにより、スポッティングすることにより、又はスプレーすることによって通常は処理される。次に、汚れ領域には、染み抜き剤組成物と汚れとの間の良好な接触を促進するために、及び布からの汚れの除去を補助するために、擦り込み（rubbed）、ブラシ掛け（brushed）、又は擦り（scrubbed）が行われてよい。
【００６７】
なおさらなる態様から見ると、本発明は、
汚れ処理添加剤の少なくとも０．２重量％、
汚れ処理添加剤を除く１種以上の界面活性剤又はその混合物の合計で少なくとも１０重量％、及び
ビルダーの少なくとも０．５重量％
を含む洗濯洗剤組成物であって、
前記汚れ処理添加剤がグリセロール及び／又はポリグリセロールとＣ12−Ｃ30脂肪酸とのエステルを含み、前記グリセロール及び／又はポリグリセロールが３０モル以下のアルキレンオキシドでアルコキシル化されたものである、洗濯洗剤組成物を提供する。
【００６８】
洗濯洗剤組成物中の汚れ処理添加剤は、汚れ処理添加剤に関して本明細書で考察する特徴のいずれを含んでいてもよい。
【００６９】
汚れ処理添加剤は、布を洗浄する際の、特に油及び／又は油脂含有汚れに対する洗濯洗剤組成物の一次洗浄力を高めることができる。汚れ処理添加剤は、この目的のためにこれまでに知られている化合物を用いた場合よりも非常に良好な布上の油脂性及び油性汚れの除去をもたらすことができる。別の選択肢として、一定の洗浄度の場合、著しい量の界面活性剤を節約することができる。
【００７０】
汚れ処理添加剤を含む洗濯洗剤組成物は、汚れ処理添加剤との望ましくない相互作用を起こすことのないそのような組成物のその他のあらゆる従来の成分を含んでよい。洗濯洗剤組成物は、少なくとも０．２重量％、好ましくは、少なくとも０．５重量％、より好ましくは、少なくとも１重量％、より好ましくは、少なくとも２重量％、なおより好ましくは、少なくとも５重量％の汚れ処理添加剤を含む。洗濯洗剤組成物は、２０重量％以下、好ましくは、１５重量％以下、より好ましくは、１０重量％以下の汚れ処理添加剤を含んでよい。
【００７１】
汚れ処理添加剤が存在することにより、本発明の洗濯処理組成物による汚れの除去を、比較洗濯洗剤組成物よりも効果的とすることができる。別の選択肢として、本発明の洗濯処理組成物は、比較洗濯洗剤組成物よりも少ない量の従来の界面活性剤で、類似のレベルの汚れ除去をもたらすことができる。また、汚れの懸濁及び汚れの除去の両方をもたらすポリマー系を持つ洗濯洗剤組成物を提供することも可能である。洗濯洗剤組成物は、液体、ゲル、粉末、錠剤、及び所望される場合は、これらの組み合わせなどの様々な形態で提供されてよい。
【００７２】
洗濯洗剤組成物は、いかなる形態を取っていてもよく、例えば、それは、注ぐことのできる液体、ゲル、粉末、又は錠剤であってよく、好ましくは、それは、注ぐことのできる液体又はゲルである。
【００７３】
本明細書で用いられる場合、「注ぐことのできる液体」とは、消費者がそれを、液体洗剤用の一般的な容器から周囲温度にて労力なしに注ぎ出すことのできる粘度を有する液体を意味する。これを達成するためには、２５℃、せん断速度２０ｓ-1にて約２０００ｍＰａ・ｓ以下の粘度で通常は充分である。
【００７４】
本発明のある実施形態では、注ぐことのできる液体洗剤組成物の粘度は、２５℃、せん断速度２０ｓ-1にて、約２００〜約１０００ｍＰａ・ｓ、好ましくは、約２００〜約５００ｍＰａ・ｓの範囲内であってよい。
【００７５】
本明細書で用いられる場合、「ゲル」とは、２５℃及びせん断速度２０ｓ-1にて、約２０００ｍＰａ・ｓを超える粘度を有する液体、好ましくは、透明又は半透明の液体を意味する。
【００７６】
洗濯洗剤組成物は、汚れ処理添加剤を除く１種以上の界面活性剤又はその混合物を合計で少なくとも１０重量％含む。これらの界面活性剤は、汚れ処理添加剤とは異なることは理解されたい。「界面活性剤」は、１種の特定の界面活性剤、又は２種以上の界面活性剤の混合物を意味してよい。界面活性剤は、水中での汚れ処理添加剤の安定性又は溶解性を補助し得る。
【００７７】
これらのさらなる界面活性剤は、洗濯洗剤組成物の洗浄効果を改善し、また、広範囲にわたる条件下にて、汚れ処理添加剤を、水性配合物又は洗浄液中で安定に可溶性状態に維持し得る。１種以上の界面活性剤は、少なくとも１種の非イオン性界面活性剤を含んでよい。非イオン性界面活性剤の汚れ処理添加剤に対する重量比は、少なくとも０．５：１、好ましくは、少なくとも０．８：１、より好ましくは、少なくとも１：１であってよい。非イオン性界面活性剤は、広範囲にわたる条件下にて、汚れ処理添加剤を、水性配合物又は洗浄液中で安定に可溶性状態に維持する補助となり得る。
【００７８】
洗剤の用語は、一般的に、洗濯用配合物全体及び個々の洗浄用界面活性剤成分の両方を意味するために用いられる。従って、明確にするために、発明者らは、「洗剤界面活性剤」の語句を、個々の洗浄用界面活性剤成分を意味するために用い、「洗剤配合物」の語句を、洗濯洗剤組成物全体を含む、（１若しくは複数の）洗剤界面活性剤とその他の配合成分との組み合わせを意味するために用いる。洗濯洗剤組成物中の１種以上の界面活性剤は、１種以上の洗剤界面活性剤であってよく、又は１種以上の洗剤界面活性剤を含んでよい。
【００７９】
洗濯用配合物中の（１若しくは複数の）洗剤界面活性剤は、典型的には、非イオン性及びアニオン性洗剤界面活性剤から選択され、特には、非イオン性及びアニオン性洗剤界面活性剤の組み合わせから選択される。
【００８０】
適切な非イオン性洗剤界面活性剤としては、アルコール（アルカノール）、アミン、アルカノールアミド、及びアルキルフェノールのポリアルキレンオキシ誘導体などのアルキレンオキシド誘導体をベースとする洗剤界面活性剤、並びにアミンオキシドをベースとする洗剤界面活性剤が挙げられる。
【００８１】
適切なアルカノールは、６〜２０個の炭素原子、より通常は、８〜１８個、特には、１０〜１６個の炭素原子を含有してよい。アルコールは、好ましくは、直鎖状若しくは一分岐鎖状アルキル基を有する一級又は二級アルカノールである。
【００８２】
適切なアルカノールアミドは、特にはＣ６−Ｃ３０、より通常は、Ｃ１０−Ｃ２０アルカン酸、例えばココナッツ脂肪酸、獣脂脂肪酸、若しくはステアリン酸のモノ‐又はジ‐アルカノールアミドであり、例えば、モノ‐又はジエタノールアミドである。
【００８３】
適切なアルキルフェノールとしては、直鎖状又は分岐鎖状Ｃ６−Ｃ２０アルキル基を有するもの、特には、アルキル基がフェノール性ＯＨ基に対してパラ位にあるもの、例えばパラ‐ノニルフェノール及びパラ‐ドデシルフェノールが挙げられる。
【００８４】
好ましい実施形態では、洗濯洗剤組成物は、脂肪アルキルポリグリコシド、脂肪アルキルポリアルコキシレート、特にエトキシレート及び／若しくはプロポキシレート、脂肪酸ポリヒドロキシアミド並びに／又は脂肪アルキルアミンのエトキシル化及び／若しくはプロポキシル化生成物、ビシナルジオール、脂肪酸アルキルエステル及び／若しくは脂肪酸アミド、さらにはこれらの混合物から選択される非イオン性界面活性剤を、特に、２重量％〜２５重量％の範囲内の量で含む。
【００８５】
一般的には、そのようなアルキレンオキシド誘導体は、１〜２０個、より通常は、２〜１０個、特には、３〜８個のアルキレンオキシド単位を、洗剤界面活性剤の１モルあたりに有し、望ましくは、エチレンオキシド単位であるが、少数のプロピレンオキシド又はブチレンオキシド単位も含まれていてよい。（ポリ）アルキレンオキシ鎖は、一般的には、重合によって作製され、得られる鎖長は、繰り返し単位の平均数として表され、この数は、非整数であり得る。
【００８６】
別の種類のアルコキシレート非イオン性洗剤界面活性剤は、エチレンオキシドとプロピレンオキシド及び／又はブチレンオキシドとのブロックコポリマーである。このコポリマーは、典型的には、プロピレンオキシド及び／又はブチレンオキシド単位のブロックを含み、その上にエチレンオキシドがグラフトされている。プロピレンオキシド及び／又はブチレンオキシド単位のブロックは、典型的には、２０〜４０個、特には約３０個のプロピレンオキシド及び／又はブチレンオキシド単位を有し、そのような単位と、２０〜３０個、特には約２６個のエチレンオキシド単位とを有する。
【００８７】
適切な非イオン性アミンオキシド洗剤界面活性剤は、Ｃ１０−Ｃ１８、特には、Ｃ１２−Ｃ１６アルキル基、及び各々独立してＣ１−Ｃ３アルキル又はヒドロキシアルキル基であるその他の２つの基を有する。
【００８８】
所望される場合は、類似の若しくは異なる種類の２つ以上の非イオン性洗剤界面活性剤のブレンド又は組み合わせが用いられてよい。
【００８９】
本発明の、及び本発明で用いられる洗剤配合物中に含まれる非イオン性洗剤界面活性剤の量は、一般的には、配合物全体の重量に対して、０．１〜５０重量％、より通常は、０．２〜４０重量％、望ましくは、０．５〜２５重量％である。
【００９０】
所望される場合は、適切なアニオン性洗剤界面活性剤が含まれてよい。そのようなアニオン性界面活性剤は、天然若しくは合成セッケン、アルキルベンゼン若しくはオレフィンスルホネート、アルコールサルフェート（一級アルキルサルフェートとも称される）、又はアルコールアルコキシレートサルフェートを例とする公知の種類のものであってよい。
【００９１】
本発明の、及び本発明で用いられる洗剤配合物中に含まれるアニオン性洗剤界面活性剤の量は、一般的には、配合物全体の重量に対して、０．１〜５０重量％、より通常は、０．２〜４０重量％、望ましくは、０．５〜２５重量％である。好ましくは、１種以上の界面活性剤は、洗濯洗剤組成物の総重量に対して、少なくとも５重量％のアニオン性界面活性剤を含む。
【００９２】
洗濯洗剤組成物は、１種以上のアニオン性界面活性剤を、好ましくは、サルフェート及び／又はスルホネートの種類、特には、脂肪アルキルサルフェート、脂肪アルキルエーテルサルフェート、スルホ脂肪酸エステル及び／又はスルホ脂肪酸の二塩（di-salts）を、特には、２重量％〜２５重量％の範囲内の量で含んでよい。アニオン性界面活性剤は、好ましくは、アルキル若しくはアルケニルサルフェート、及び／又はアルキル若しくはアルケニルエーテルサルフェートから選択され、ここで、アルキル若しくはアルケニル基は、８〜２２個、特には、１２〜１８個の炭素原子を有する。これらは、通常、単一の物質ではなく、むしろ、画分又は混合物である。これらの中でも、１６〜１８個の炭素原子の範囲内である長鎖基を有する化合物の含有量が２０重量％を超えるものが好ましい。
【００９３】
さらなる所望に応じて含まれてよいアニオン性界面活性剤成分として、セッケンが考慮されてもよく、ここで、ラウリン酸、ミリスチン酸、パルミチン酸、又はステアリン酸の塩などの飽和脂肪酸セッケン、並びにココナッツ油脂肪酸、パーム核油脂肪酸、又は獣脂脂肪酸などの天然脂肪酸混合物から誘導されるセッケンが適切である。５０重量％〜１００重量％の飽和Ｃ１２−Ｃ１８脂肪酸セッケン及び５０重量％までのオレイン酸セッケンから成るセッケン混合物が特に好ましい。好ましくは、セッケンは、洗濯洗剤組成物の０．１重量％〜５重量％の量を占める。
【００９４】
洗濯洗剤組成物中に所望に応じて存在してよい酵素は、好ましくは、プロテアーゼ、アミラーゼ、リパーゼ、セルラーゼ、ヘミセルラーゼ、オキシダーゼ、ペルオキシダーゼ、又はこれらの混合物を含む群より選択される。細菌及び真菌などの微生物から単離されたプロテアーゼが好ましい。それらは、発酵プロセスにより、それ自体が公知である方法で適切な微生物から得られる。プロテアーゼは、例えば、ＢＬＡＰ（登録商標）、Ｓａｖｉｎａｓｅ（登録商標）、Ｅｓｐｅｒａｓｅ（登録商標）、Ｍａｘａｔａｓｅ（登録商標）、Ｏｐｔｉｍａｓｅ（登録商標）、Ａｌｃａｌａｓｅ（登録商標）、Ｄｕｒａｚｙｍ（登録商標）、又はＭａｘａｐｅｍ（登録商標）の商品名で市販されている。適切なリパーゼは、例えば、フミコラ・ラヌギノーザ（Humicola lanuginosa）から、バチルス属（Bacillus types）から、シュードモナス属（Pseudomonas types）から、フサリウム属（Fusarium types）から、リゾプス属（Rhizopus types）から、又はアスペルギルス属（Aspergillus types）から得ることができる。適切なリパーゼは、例えば、Ｌｉｐｏｌａｓｅ（登録商標）、Ｌｉｐｏｚｙｍ（登録商標）、Ｌｉｐｏｍａｘ（登録商標）、Ａｍａｎｏ（登録商標）‐Ｌｉｐａｓｅ、Ｔｏｙｏ‐Ｊｏｚｏ（登録商標）‐Ｌｉｐａｓｅ、Ｍｅｉｔｏ（登録商標）‐Ｌｉｐａｓｅ、及びＤｉｏｓｙｎｔｈ（登録商標）‐Ｌｉｐａｓｅの商品名で市販されている。適切なアミラーゼは、例えば、Ｍａｘａｍｙｌ（登録商標）、Ｔｅｒｍａｍｙｌ（登録商標）、Ｄｕｒａｍｙｌ（登録商標）、及びＰｕｒａｆｅｃｔ（登録商標）ＯｘＡｍの商品名で市販されている。適切なセルラーゼは、細菌又は真菌から単離された酵素であってよく、好ましくは、弱酸性から弱アルカリ性領域の６〜９．５に至適ｐＨを示す。このような種類のセルラーゼは、Ｃｅｌｌｕｚｙｍｅ（登録商標）、Ｃａｒｅｚｙｍｅ（登録商標）、及びＥｃｏｓｔｏｎｅ（登録商標）の商品名で市販されている。
【００９５】
従来の酵素安定化剤も、特に液体組成物の場合に、所望に応じて存在してよい。このような酵素安定化剤としては、アミノアルコール、例えばモノ‐、ジ‐、トリエタノールアミン及びモノ‐、ジ‐、トリプロパノールアミン、並びにこれらの混合物、低級カルボン酸、ホウ酸若しくはアルカリ金属ホウ酸塩、ホウ酸カルボン酸組み合わせ、ホウ酸エステル、ボロン酸誘導体、カルシウム塩、例えばＣａギ酸組み合わせ、マグネシウム塩、並びに／又は硫黄含有還元剤が挙げられる。
【００９６】
洗濯洗剤組成物中に含まれる洗剤界面活性剤の総量は、一般的には、組成物全体の重量に対して、１０〜６０重量％、より通常は、１５〜４５重量％であり、配合物の種類に応じて様々であってよい（さらなる詳細については以下参照）。
【００９７】
洗濯洗剤組成物は、少なくとも０．５重量％のビルダーを含む。ビルダーは、洗剤ビルダーと称される場合もある。ビルダーは、１つ以上の種類のビルダーを含んでよい。ビルダーは、キレート化ビルダー又は非キレート化ビルダーを含んでよい。ＥＤＴＡは、キレート化ビルダーの例であり、クエン酸ナトリウムは、非キレート化のビルダーである。
【００９８】
ビルダーは、主として、アルカリ土類金属、特に、例えばＭｇ2+及び／又はＣａ2+の２＋カチオンとして典型的には存在するカルシウム及び／又はマグネシウムと選択的に水中で反応して、洗剤界面活性剤の洗浄性能への干渉を阻止することによって、洗剤界面活性剤のキレート化性能を改善するために洗濯洗剤配合物中に含められる。典型的なビルダーとしては、アルカリ金属、通常はナトリウム及び／又はカリウム、より通常はナトリウムの塩、三ナトリウムホスフェートを例とするホスフェート；又は四ナトリウムピロホスフェート、ナトリウムヘキサメタホスフェート、及びナトリウムトリポリホスフェートを例とする縮合ホスフェート；ナトリウムカーボネート、バイカーボネート、及び／又はセスキカーボネートを例とするカーボネート；ナトリウムメタシリケートを例とするシリケート；アルカリ土類金属イオンを吸着又はイオン交換するミネラル、特にゼオライト［当業者であれば、ゼオライトなどのミネラルビルダーが、水性洗濯媒体からアルカリ金属イオンを吸収することを可能とする実質的なイオン交換能を有しており、層状ミネラル（イオン交換能は一般的に限定的）であるが、皮脂などの有機物を吸収することができ、上述のようにそれを衣類上に運ぶことのできるコンディショナークレイ（conditioner clays）とは異なることは理解される］などの無機化合物；並びに、ニトリロ三酢酸及びその水溶性塩；カルボキシメチルセルロースナトリウム；並びに２〜６個の−ＣＯＯＨ基及び１〜５個の−ＯＨ基を有するヒドロキシカルボン酸、例えばクエン酸及び／若しくは酒石酸、又はそれらの水溶性塩、例えばクエン酸ナトリウムなどの有機化合物が挙げられる。
【００９９】
洗濯洗剤組成物は、少なくとも０．５重量％のビルダー、好ましくは、少なくとも１重量％のビルダー、より好ましくは、少なくとも２重量％のビルダー、さらにより好ましくは、少なくとも５重量％のビルダー、なおより好ましくは、少なくとも１０重量％のビルダーを含む。洗濯洗剤組成物は、６０重量％以下のビルダー、より好ましくは、４０重量％以下のビルダー、さらにより好ましくは、２０重量％以下のビルダーを含んでよい。
【０１００】
本発明の、及び本発明で用いられる洗剤配合物中に含まれるビルダーの量は、一般的には、配合物全体の重量に対して、２〜６０重量％、より通常は、２〜４０重量％、望ましくは、２〜２０重量％である。
【０１０１】
本発明の、及び本発明で用いられる洗濯洗剤組成物は、従来のようにボトル若しくは類似の容器中にパッケージされるか、又は単一剤形として、特には、水溶性若しくは水分散性フィルムパッケージ材中にカプセル化されて単位剤形として（一般的には「リキタブ（liquitabs）」と称される）エンドユーザーに提供されてよい液体、特に水性液体として；又は、固体として、典型的には、粉末として、若しくは各々が１回の洗浄に適する量の洗剤配合物を通常は含有する錠剤として配合されてよい。
【０１０２】
本発明の、及び本発明で用いられる液体洗濯洗剤配合物は、典型的には、以下の成分を含む配合物を有する。
【０１０３】
ａ．洗剤界面活性剤  −  通常は、非イオン性界面活性剤、例えばアルコールアルコキシレート、及びアニオン性界面活性剤、例えばアルカリ金属直鎖状アルキルベンゼンスルホネート及び／若しくはアルコールサルフェートの組み合わせであり、所望に応じて、しかし通例では、少ない割合の（１若しくは複数の）脂肪酸セッケンを含み、典型的には、洗剤界面活性剤の全体レベルは、組成物の重量に対して、１５〜５０重量％、より通常は、２０〜５０重量％、望ましくは、２０〜４０重量％の範囲内であり；通例では、このうち、一般的には、０．５〜３５重量％、より通常は、０．５〜３０重量％、望ましくは、０．５〜２５重量％が非イオン性界面活性剤であり；一般的には、０．５〜３５重量％、より通常は、０．５〜３０重量％、望ましくは、０．５〜２５重量％がアニオン性界面活性剤であり、脂肪酸セッケンを含んでもよい。
【０１０４】
ｂ．ビルダー  −  ホスホネートを含むホスフェート、ゼオライト、ヒドロキシ酸、若しくはアルカリ金属ヒドロキシド、カーボネート、若しくはシリケート、又はこれらの種類のうちの２つ以上の組み合わせ、例えばゼオライトとアルカリ金属カーボネート、特にはナトリウムカーボネートとの組み合わせであってよいが、完全な水溶性ビルダーを用いることも珍しいことではなく、それが望ましい場合もあり；典型的なビルダー全体のレベルは、組成物の重量に対して、０．５〜１０重量％、より通常は、１〜８重量％、望ましくは、２〜６重量％の範囲内である。
【０１０５】
少量成分としては、典型的には、（１若しくは複数の）蛍光剤（蛍光増白剤）、（１若しくは複数の）消泡剤、（１若しくは複数の）漂白剤、（１若しくは複数の）漂白活性化剤  （１若しくは複数の）酵素、（１若しくは複数の）芳香剤、（１若しくは複数の）再付着防止剤（ＣＭＣ）、（１若しくは複数の）乳白剤、（１若しくは複数の）保存剤、及び（１若しくは複数の）増粘剤が挙げられ得る。これらは、従来のレベル（特定の成分に応じて異なる）で用いられるが、通常は、各々５重量％以下である。
【０１０６】
パッケージ又はカプセル化された液体（「リキタブ」のタイプ）は、典型的には、液体タイプの洗剤配合物に類似の配合物を有する。リキタブ配合物は、水溶性又は水分散性のフィルムによってカプセル化され得ることから、液体洗剤配合物よりも少ない水含有量を有し得る。リキタブ又はカプセル化液体洗濯洗剤組成物は、１０重量％以下の水を含み得る。
【０１０７】
好ましくは、洗濯洗剤組成物は、１種以上の界面活性剤又はそれらの組み合わせを、合計で少なくとも１５重量％含み、洗濯洗剤組成物は、液体洗濯洗剤組成物である。好ましくは、洗濯洗剤組成物は、単位剤形としてカプセル化され、１０重量％以下の水を含む液体洗濯洗剤組成物である。
【０１０８】
以下の表の範囲（単位は重量％）は、パッケージされた液体配合物を含むそのような典型的水性液体配合物（少量成分は除く）の代表例である。
【０１０９】
【表１】
2016535153.tif 000002
【０１１０】
本発明の、及び本発明で用いられる固体洗濯洗剤配合物は、典型的には、以下の成分（非イオン性柔軟仕上げ剤以外）を含む。
ａ．洗剤界面活性剤  −  通常は、非イオン性界面活性剤、例えばアルコールアルコキシレート、及びアニオン性界面活性剤、例えばアルカリ金属直鎖状アルキルベンゼンスルホネート及び／若しくはアルコールサルフェートの組み合わせであり、所望に応じて、しかし通例では、少ない割合の（１若しくは複数の）脂肪酸セッケンを含み、典型的には、洗剤界面活性剤の全体レベルは、組成物の重量に対して、１０〜６０重量％、より通常は、１２〜４０重量％、望ましくは、１５〜３０重量％の範囲内であり；標準的な粉末の場合、１０〜６０重量％、より通常は、１２〜２５重量％、望ましくは、１５〜２０重量％の範囲内の量が典型的であり、濃縮粉末の場合、一般的には、１５〜６０重量％、より通常は、２０〜４０重量％、望ましくは、２０〜３０重量％が典型的であり；これらの合計量のうち、標準的な粉末の場合、通例では、０．１〜５０重量％、より通常は、０．５〜２５重量％、望ましくは、０．５〜２０重量％が、濃縮粉末の場合、０．５〜５０重量％、より通常は、０．５〜３５重量％、望ましくは、０．５〜２０重量％が、（１若しくは複数の）非イオン性界面活性剤であり、脂肪酸セッケンを含んでもよい。
【０１１１】
ｂ．ビルダー  −  ホスフェート、ゼオライト、ヒドロキシ酸、若しくはアルカリ金属ヒドロキシド、カーボネート、シトレート、若しくはシリケート、又は通例では、及び多くの場合望ましくは、これらの種類のうちの２つ以上の組み合わせ、例えばゼオライトとアルカリ金属カーボネート、特にはナトリウムカーボネートとの組み合わせであってよく；典型的には、（１若しくは複数の）ビルダーの全体レベルは、組成物の重量に対して、２０〜８０重量％、より通常は、３０〜６０重量％、望ましくは、３５〜５５重量％の範囲内であり、組み合わせ配合物中の特定の種類のビルダーついては：ゼオライトが、典型的には、１０〜５０重量％、より通常は、１５〜４０重量％、望ましくは、２０〜３５重量％の範囲であり、及びアルカリ金属塩ビルダーが、典型的には、１０〜４０重量％、より通常は、１２〜３５重量％、望ましくは、１０〜２０重量％の範囲であり、全体配合物が標準的粉末であるか、又は濃縮粉末であるかに応じて調節される。
【０１１２】
少量成分としては、典型的には、（１若しくは複数の）蛍光剤（蛍光増白剤）、（１若しくは複数の）消泡剤、（１若しくは複数の）漂白剤、（１若しくは複数の）漂白活性化剤  （１若しくは複数の）酵素、（１若しくは複数の）芳香剤、（１若しくは複数の）再付着防止剤（ＣＭＣ）が挙げられ得る。これらは、従来のレベル（特定の成分に応じて異なる）で用いられるが、通常は、各々５重量％以下である。
【０１１３】
以下の表の範囲（単位は重量％）は、典型的なそのような粉末配合物（少量成分は除く）の代表例である。
【０１１４】
【表２】
2016535153.tif 000003
【０１１５】
【表３】
2016535153.tif 000004
【０１１６】
固体錠剤は、典型的には、濃縮粉末タイプの洗剤配合物に類似の配合物を有し（バインダーをさらに含む場合もあるが）、以下の表の範囲（単位は重量％）は、典型的なそのような錠剤配合物（少量成分は除く）の代表例である：
【０１１７】
【表４】
2016535153.tif 000005
【０１１８】
本発明の、及び本発明で用いられる洗剤配合物は、そのような配合物に従来から見出される添加剤も含有してよく、例えば、蛍光増白剤、消泡剤、エチレンジアミン四酢酸などのキレート化剤、染料、芳香剤若しくは香料、酵素、漂白剤、漂白活性化剤、乳白剤、不活性充填剤、例えば硫酸ナトリウム若しくはカリウム、カルボキシメチルセルロース（ＣＭＣ）などの再付着防止剤、保存剤、及び液体配合物、特に水性配合物の場合は、増粘剤である。これらは、従来のレベル（特定の成分に応じて異なる）で用いられるが、通常は、各々５重量％以下である。
【０１１９】
本発明の洗濯洗浄の操作は、通常、水性洗濯媒体と共に、環境中の冷水温度（典型的には約１０℃）から沸点（約１００℃）まで、より特には、２５〜６０℃の温度で行われる。さらに、洗浄媒体のｐＨは、典型的には、少なくとも７、望ましくは、８〜１０である。従って、本発明の洗剤配合物は、洗濯水性洗浄媒体中に分散されて洗浄液を形成した際に、そのようなｐＨ値が得られることが望ましい。
【０１２０】
さらなる態様から見ると、本発明は、
汚れ処理添加剤のある量を布に適用すること、及び
その布に、すすぎ液を適用すること
を含む布を洗浄する方法であって、
前記汚れ処理添加剤がグリセロール及び／又はポリグリセロールとＣ１２−Ｃ３０脂肪酸とのエステルを含み、前記グリセロール及び／又はポリグリセロールが３０モル以下のアルキレンオキシドでアルコキシル化されたものである、方法を提供する。
【０１２１】
本発明の方法は、汚れ処理添加剤、布洗浄用組成物、染み抜き剤組成物、又は洗濯洗剤組成物に関して本明細書で考察する特徴のいずれを含んでいてもよい。
【０１２２】
好ましくは、汚れ処理添加剤は、本明細書で考察する布洗浄用組成物、本明細書で考察する洗濯洗剤組成物、又は本明細書で考察する染み抜き剤組成物中に含まれる。
【０１２３】
洗浄を受ける布は、通常、衣類であり、織布又は不織布であってよい。布地を形成する繊維は、広範囲に及ぶ天然及び合成繊維であってよく、又はそれらを含んでよく、ポリアミド、特にシルク及びウールなどの天然ポリアミド、並びにナイロンなどの合成ポリアミド、コットン、リネン、及びレーヨンなどのセルロース系繊維、ポリエステル、特にポリエチレンテレフタレート若しくは関連するコポリマー、又はアセテートポリマーなどの合成ポリマーが挙げられる。
【０１２４】
すすぎ液は、水を含んでよい。すすぎ液は、洗浄サイクル及び／又はすすぎサイクルで提供されてよい。
【０１２５】
方法は、布が水及び汚れ処理添加剤と接触される洗浄サイクルを含んでよい。水及び汚れ処理添加剤は、洗浄サイクルの過程で形成される洗浄液の成分であってよい。布はまた、少なくとも１種の洗剤界面活性剤とも接触されてよい。少なくとも１種の洗剤界面活性剤は、洗濯洗剤組成物によって提供されてよい。好ましくは、汚れ処理添加剤及び少なくとも１種の洗剤界面活性剤は、本明細書で考察するように、洗濯洗剤組成物中に提供される。洗浄液は、洗濯洗剤組成物及び水を含んでよい。洗浄サイクルは、布が汚れ処理添加剤で処理されるように、布と汚れ処理添加剤との間の接触を維持してよい。
【０１２６】
好ましくは、本発明の方法は、すすぎサイクルをさらに含む。すすぎサイクルは、汚れ処理添加剤が布から除去されるように、好ましくは、実質的に除去されるように、すすぎ液と布との間の接触を維持してよい。脂肪分岐鎖状ポリアルキルオキシレートを含んでよい柔軟仕上げ剤が、すすぎサイクルに含まれてよい。
【０１２７】
この方法では、洗濯に適するいかなる装置が用いられてもよい。典型的には、そのような装置は、洗浄サイクル及び／又はすすぎサイクルが行われるドラムを含む。ドラムは、その軸線が水平又は垂直であってよい（これ以外の傾き角度では、一般的に、操作の利便性が低下する）。水平軸線ドラムの撹拌は、単にその軸線を中心に回転させることによって行われてよい。垂直軸線ドラムは、通常、ドラム内容物を撹拌するように動くことのできる撹拌器を含む。その他の撹拌手段としては、ドラム内のパドル又は翼が挙げられる。適度に激しい撹拌によって、洗浄性能が改善され得る。
【０１２８】
方法の具体的な工程は、用いられる設備に応じて異なり得る。１若しくは複数の布が、ドラム内に導入されてよく、続いてドラムは、密閉され、洗浄液で満たされる。次に、布及び洗浄液は、撹拌されて、洗浄液と布との充分な混合及び接触が得られる。布は、布が所望される度合いまで洗浄されるのに適する時間にわたって洗浄液と接触される。洗浄液は、次に、典型的にはドラムから排出することにより、布から分離される。一般的に、布は、そのような洗浄サイクルを１回受けるが、所望される場合は、より高い洗浄度合いを得るために、洗浄サイクルが繰り返されてもよい。通常、布は、少なくとも１回のすすぎサイクルを受け、それには、洗浄添加剤は通常含まれないが、所望される場合は、柔軟仕上げ剤、蛍光増白剤などが含まれてよい。すすぎ液は、同様に布から分離され、次に布は、ドラムを開けて布を取り出すことによって回収されてよい。
【０１２９】
方法は、汚れ処理添加剤が布の汚れ領域に接触されてよいプレ洗浄処理を含んでよい。プレ洗浄処理では、汚れ処理添加剤は、好ましくは、本明細書で述べるように、染み抜き剤組成物中に含まれる。
【０１３０】
なおさらなる態様から見ると、本発明は、３０モル以下のアルキレンオキシドでアルコキシル化されたものであるグリセロール及び／又はポリグリセロールとＣ１２−Ｃ３０脂肪酸とのエステルの、布上の汚れを処理するための使用を提供する。
【０１３１】
この使用において、エステルは、染み抜き剤組成物中又は洗濯洗剤組成物中に含まれてよい。
【０１３２】
本発明の使用は、汚れ処理添加剤、布洗浄用組成物、染み抜き剤組成物、又は洗濯洗剤組成物に関して本明細書で考察する特徴のいずれを含んでいてもよい。
【０１３３】
本明細書で述べる汚れ処理添加剤の汚れ除去効率は、洗浄前後での汚れのＹ値を測定することによって定量されてよい。Ｙ測定値は、分光光度計を用いて得られてよい。
【０１３４】
未洗浄の汚れと比較した場合の洗浄済み汚れのｌ*ａ*ｂ色空間内での白色度／明度（Ｙ色又はＹ値として測定され、Ｙ値が大きい程白色度が強いことを示す）の相違は、デルタＹ（ΔＹ）値として与えられてよく、ここで、デルタＹ＝Ｙ洗浄済み−Ｙ未洗浄である。デルタＹ値が大きい程、より多くの汚れが布から除去されたことを示す。
【０１３５】
本明細書で述べる汚れ処理添加剤（又はエステル）で処理された布上の汚れは、汚れ処理添加剤（又はエステル）が水で置き換えられた同等の配合の染み抜き剤組成物又は洗濯洗剤組成物で処理された汚れよりも少なくとも４％高いデルタＹ値を有し得る。デルタＹ値は、好ましくは、少なくとも８％高く、より好ましくは、少なくとも１０％高く、さらにより好ましくは、少なくとも１５％高い。
【０１３６】
デルタＹ値は、単一の汚れに関して測定されてよく、又は複数の汚れに対する平均であってもよい。デルタＹ値は、Ｃｅｎｔｅｒ  Ｆｏｒ  Ｔｅｓｔｍａｔｅｒｉａｌｓ  ＢＶから得られる以下の標準汚れの１つ以上に関して測定されてよい（括弧内に参照コードを示す）。
Ａ‐コーヒー（Ｃ‐ＢＣ‐０２）−漂白可能汚れ；
Ｂ‐ドレッシング（ＣＳ‐６）−酵素処理可能汚れ；
Ｃ‐オートミール／チョコレート（ＣＳ‐５４）−酵素処理可能汚れ；
Ｄ‐草（ＣＳ‐０８）−酵素処理可能汚れ；
Ｅ‐オリーブオイル／煤（Ｃ‐０２）−油性／粒子性汚れ；
Ｆ‐コメデンプン（ＣＳ‐２８）−酵素処理可能汚れ；
Ｇ‐トウモロコシデンプン（ＣＳ‐２６）−酵素処理可能汚れ；
Ｈ‐イナゴマメガム（ＣＳ‐７３）−酵素処理可能汚れ；及び
Ｉ‐顔料／油／牛乳（Ｃ‐１０）−油性／粒子性汚れ
【０１３７】
デルタＹ値は、汚れＡからＥに対する平均であってよい。デルタＹ値は、汚れＡからＩに対する平均であってよい。
【０１３８】
汚れ処理添加剤（又はエステル）によって処理された布上の汚れは、同等の配合であるが汚れ処理添加剤又はエステルは含まない染み抜き剤組成物又は洗濯洗剤組成物で処理された汚れよりも少なくとも１０％高いデルタＹ値を有し得る。
【０１３９】
汚れは、コーヒー、ドレッシング、オートミール、チョコレート、草、オリーブオイル、煤、コメデンプン、トウモロコシデンプン、イナゴマメガム、顔料、油、牛乳、及びこれらの混合物から成る群より選択されてよい。
【０１４０】
汚れは、コーヒー、ドレッシング、オートミール、チョコレート、草、オリーブオイル、煤、及びこれらの混合物から成る群より選択されてよい。
【０１４１】
汚れは、漂白可能汚れ、酵素処理可能汚れ、及び油性／粒子性汚れから成る群より選択されてよい。好ましくは、汚れは、油性／粒子性汚れである。
【０１４２】
本明細書で述べる特徴はすべて、本発明の上記態様のいずれと、いかなる組み合わせによって組み合わされてもよい。
【実施例】
【０１４３】
本発明を、ここで、以下の実施例を参照して、単なる例としてさらに記載する。特に断りのない限り、部及びパーセントは、すべて重量基準である。
【０１４４】
列挙した試験及び物理的特性はすべて、本明細書にて特に断りのない限り、又は参照した試験方法及び手順にて特に断りのない限り、大気圧及び室温（すなわち、約２０℃）で特定されたものであることは理解される。
【０１４５】
以下の試験方法及び手順は、特に断りのない限り、化学的特性の測定のために用いられる。
【０１４６】
酸価
酸価は、ＡＳＴＭ  Ｄ１９８０‐８７（脂肪酸及び重合脂肪酸の酸価のための標準試験法）を用いて特定した。
【０１４７】
水酸基価
水酸基価は、ＡＳＴＭ  Ｄ１９５７‐８６（脂肪油及び酸の水酸基価のための標準試験法）を用いて測定した。
【０１４８】
鹸化価
鹸化価は、ＡＳＴＭ  Ｄ５５５８（植物及び動物油脂のための標準試験法）を用いて測定した。
【０１４９】
これらの実施例において、以下の表１に挙げる汚れ処理添加剤（ＳＴＡ）を用いる。
【０１５０】
【表５】
2016535153.tif 000006
【０１５１】
実施例１：汚れ処理添加剤（ＳＴＡ１）の作製
１バッチ分のＰＥＧ‐８グリセリルイソステアレート（ＳＴＡ１）を、以下のようにして作製した。表２に、およそ４ｋｇのバッチに対する投入重量を示す。
【０１５２】
【表６】
2016535153.tif 000007
【０１５３】
エトキシル化グリセリン、イソステアリン酸、及び酸触媒（例えば、ｐ‐トルエンスルホン酸（ＰＴＳＡ）、メタンスルホン酸（ＭＳＡ）、又は次亜リン酸）をフラスコに投入し、窒素注入下、還流用にセットした冷却管と共に２２０℃に加熱した。１時間後、冷却管を蒸留用にセットし、反応を２２０℃でさらに５時間継続した。９０℃に冷却後、無機塩基（例えば、ＮａＯＨ、ＫＯＨ、又はＫ2ＣＯ3）を添加し、撹拌をこの温度で３０分間継続した。真空（＜４０ミリバール）を３０分間施し、次に窒素を用いて開放した。粗生成物を、ろ過助剤を通してろ過し、黄色透明オイルとしてＳＴＡ１を得た。
【０１５４】
ＳＴＡ１は、室温で透明の液体である。それは、表３に示す仕様を満たしている。
【０１５５】
【表７】
2016535153.tif 000008
【０１５６】
実施例２：ＳＴＡ１を含む染み抜き剤組成物の例の作製
染み抜き剤組成物を、表４に挙げる成分と共にＳＴＡ１を用いて作製した。この配合物は、ハンドスプレー型容器（trigger pack）での適用に適している。
【０１５７】
【表８】
2016535153.tif 000009
【０１５８】
実施例３：ＳＴＡ１を含む液体洗濯洗剤組成物の例の作製
ＳＴＡ１を含有する液体洗濯洗剤を配合した。成分を表５に示す。
【０１５９】
【表９】
2016535153.tif 000010
【０１６０】
実施例４：洗濯洗剤１〜３の洗浄結果
この実施例では、以下の条件及び手順を用いた。
【０１６１】
ａ）洗浄条件
以下の標準的洗浄条件を用いた。
洗濯機：Ｍｉｅｌｅ（登録商標）Ｗ  ５２６  Ｎｏｖｏｔｒｏｎｉｃ（自動負荷制御はオフにした）
洗浄プログラム：４０℃コットンサイクルメイン洗浄プログラム
洗浄温度：４０℃
洗剤投入量：８０ｍＬ
洗濯物量：試験用布地を含むＩＥＣ６０４５６（コットンベッドシーツ  ＩＥＣ  Ｔ１１  ２枚、コットン枕カバー  ＩＥＣ  Ｔ１３  ３枚、コットンハッカバックタオル  ＩＥＣ  Ｔ１２  ８枚）に従う３．５ｋｇの清浄な布
【０１６２】
ｂ）汚れた布
以下の標準化された汚れを、Ｃｅｎｔｅｒ  Ｆｏｒ  Ｔｅｓｔｍａｔｅｒｉａｌｓ  ＢＶから購入した（括弧内に参照コードを示す）。
Ａ‐コーヒー（Ｃ‐ＢＣ‐０２）−漂白可能汚れ；
Ｂ‐ドレッシング（ＣＳ‐６）−酵素処理可能汚れ；
Ｃ‐オートミール／チョコレート（ＣＳ‐５４）−酵素処理可能汚れ；
Ｄ‐草（ＣＳ‐０８）−酵素処理可能汚れ；
Ｅ‐オリーブオイル／煤（Ｃ‐０２）−油性／粒子性汚れ；
Ｆ‐コメデンプン（ＣＳ‐２８）−酵素処理可能汚れ；
Ｇ‐トウモロコシデンプン（ＣＳ‐２６）−酵素処理可能汚れ；
Ｈ‐イナゴマメガム（ＣＳ‐７３）−酵素処理可能汚れ；及び
Ｉ‐顔料／油／牛乳（Ｃ‐１０）−油性／粒子性汚れ
【０１６３】
汚れた布ＡからＩを、以下を含む（すべて重量パーセント）洗濯洗剤を用い、上記の洗浄条件下で洗浄した：
洗濯洗剤１：
１５．０％  Ｃ８脂肪アルコールエトキシレート、
７．０％  ラウリルエーテル硫酸ナトリウム、
５．０％  上記実施例１に従って作製したＳＴＡ１、
５．０％  ラウリル硫酸ナトリウム、
５．０％  脂肪酸セッケン（オレイン／ココナッツ系ナトリウムセッケン）、
４．０％  エタノール、
３．０％  クエン酸ナトリウム、
０．０５％  ベンズイソチアザリノン（benzisothiazalinone）；及び
１００％となるまで  水、
ｐＨ８．５
【０１６４】
洗浄後、布をタンブラー乾燥し（Ｉｎｄｅｓｉｔ（商標）ＩＳ６０Ｖ  タンブラー乾燥器、高温６０分の乾燥プログラム）、次に温度（２０〜２２℃）及び湿度（４５〜５５％）を制御した環境中でさらに空気乾燥させた。乾燥後、すべての見本布（swatches）を、Ｘ‐Ｒｉｔｅ  Ｃｏｌｏｒ  ｉ５分光光度計により、アパチャー径２５ｍｍの反射モードで測定し、洗浄済み汚れ及び未洗浄汚れのｌ*ａ*ｂ色空間内での明度（Ｙ色又はＹ値）を特定した。
【０１６５】
この比色分析による洗浄度の評価では、ＳＴＡ含有洗剤の結果を、上述の通りの洗剤であるがＳＴＡ１を水で置き換えた洗剤（洗濯洗剤２）の結果と比較した。以下の表６の結果は、未洗浄汚れと比較した洗浄済み汚れのｌ*ａ*ｂ色空間内での白色度／明度（Ｙ色又はＹ値として測定、Ｙが大きい程白色度が強い）における相違である。白色度における相違は、デルタＹ値として与えられ、ここで、デルタＹ＝Ｙ洗浄済み−Ｙ未洗浄である。
【０１６６】
【表１０】
2016535153.tif 000011
【０１６７】
ＳＴＡ１を含有する洗濯洗剤１は、ＳＴＡ１を含まないこと以外は同一の組成物（洗濯洗剤２）と比較して、Ａ〜Ｅのすべての汚れに対して汚れ除去力の著しい改善を示した。
【０１６８】
表６の最後の行から分かるように、汚れＡ〜Ｅに関する洗濯洗剤１の汚れ除去力において、５重量％のＳＴＡ１を含めることにより、４．２％〜２０．２％の改善率が得られた。５つのすべての汚れに対する汚れ除去改善率の平均は、１３．４％であった。
【０１６９】
【表１１】
2016535153.tif 000012
【０１７０】
洗濯洗剤３では、洗濯洗剤１の５重量％  ＳＴＡ１を、５重量％  ＳＴＡ２に置き換えた。表７から、ＳＴＡ２は、汚れＥ〜Ｉの汚れ除去において、平均して水（洗濯洗剤２で示される）よりも良好に機能しているが、ＳＴＡ１程良好ではないことが分かる。
【０１７１】
実施例５：洗濯洗剤４〜７の洗浄結果
実施例５では、汚れ布Ａ〜Ｅの別のセット、及び実施例４の洗浄条件を用いた。
【０１７２】
汚れ布Ａ〜Ｅを、以下を含む（すべて重量パーセント）洗濯洗剤を用い、上記の洗浄条件下で洗浄した：
洗濯洗剤４
９．９％  脂肪酸セッケン（オレイン／ココナッツ系ナトリウムセッケン）、
６．０％  ７モルのエチレンオキシドでエトキシル化されたＣ１２‐１５脂肪アルコール、
５．６％  Ｃ８‐１０アルキルポリグルコシド
４．３％  ラウリルエーテル硫酸ナトリウム（ＳＬＥＳ）、
５．０％  上記実施例１に従って作製したＳＴＡ１、
５．０％  ラウリル硫酸ナトリウム（ＳＬＳ）、
３．０％  エタノール、
４．０％  クエン酸ナトリウム、
０．０５％  ベンズイソチアザリノン；及び
１００％となるまで  水、
ｐＨ８．０
【０１７３】
洗浄後、布をタンブラー乾燥し（Ｉｎｄｅｓｉｔ（商標）ＩＳ６０Ｖ  タンブラー乾燥器、高温６０分の乾燥プログラム）、次に温度（２０〜２２℃）及び湿度（４５〜５５％）を制御した環境中でさらに空気乾燥させた。乾燥後、実施例４に記載のように、すべての見本布を、Ｘ‐Ｒｉｔｅ  Ｃｏｌｏｒ  ｉ５分光光度計により、アパチャー径２５ｍｍの反射モードで測定した。
【０１７４】
洗浄度の評価は、上述した比色分析により、洗濯洗剤４の結果を、洗濯洗剤４の５．０重量％のＳＴＡ１を：
ｉ．  ３．０％  ＳＴＡ１及び２．０％  水（洗濯洗剤５）
ｉｉ．  ５．０％  グリセリン（洗濯洗剤６）、及び
ｉｉｉ．  ５．０％  水（洗濯洗剤７）
で置き換えた洗剤の結果と比較することによって行った。以下の表７の結果は、未洗浄汚れと比較した洗浄済み汚れのｌ*ａ*ｂ色空間内での明度（Ｙ色又はＹ値）における相違である。
【０１７５】
【表１２】
2016535153.tif 000013
【０１７６】
表８から分かるように、５重量％  ＳＴＡ１又は３重量％  ＳＴＡ１を含めることにより、洗濯洗剤６でグリセリンを含む場合、又は洗濯洗剤７で水を含む場合と比較して、ほとんどの個別の汚れに対して、平均して良好な汚れ処理性能を持つ洗濯洗剤４及び５が得られる。
【０１７７】
実施例６：染み抜き剤組成物の結果
実施例６では、実施例４の汚れ布Ａ〜Ｅの別のセットを用いた。
【０１７８】
汚れ布を、以下を含む（すべて重量パーセント）染み抜き剤配合物の１．３ｇを用いて処理した：
染み抜き剤１
１０．０％  実施例１のＳＴＡ１、
７．０％  Ｃ８‐１０アルキルポリグルコシド
５．０％  ７ＥＯを含むＣ１２‐１５脂肪アルコール、
５．０％  ８ＥＯを含むＣ１３脂肪アルコール、
２．０％  エチレンジアミン‐Ｎ，Ｎ′‐ジコハク酸、
１．５％  エタノール、
０．０５％  ベンズイソチアザリノン；及び
１００％となるまで  水、
ｐＨ７．０
【０１７９】
染み抜き剤を、正方形の汚れ部分の各々に、擦ることなく、５分間未満の接触時間で適用した。
【０１８０】
次に、すべての試験において粉末洗剤（投入量８０ｇ、ＥＣＥ‐２参照洗剤）を用いた以外は、実施例４で定めた洗浄手順を用いた。洗浄後、布をタンブラー乾燥し（Ｉｎｄｅｓｉｔ（商標）ＩＳ６０Ｖ  タンブラー乾燥器、高温６０分の乾燥プログラム）、次に温度（２０〜２２℃）及び湿度（４５〜５５％）を制御した環境中でさらに空気乾燥させた。乾燥後、上記実施例４に記載のように、すべての見本布を、Ｘ‐Ｒｉｔｅ  Ｃｏｌｏｒ  ｉ５分光光度計により、アパチャー径２５ｍｍの反射モードで測定した。
【０１８１】
汚れ除去の評価は、比色分析により、ジプロピレングリコールメチルエーテルを含む比較汚れ処理添加剤であるＤｏｗａｎｏｌ  ＤＰＭでＳＴＡ１を置き換えた染み抜き剤１に類似の配合である染み抜き剤（染み抜き剤２）と、染み抜き剤１の結果を比較することによって行った。以下の結果は、洗浄済み汚れと未洗浄汚れとのｌ*ａ*ｂ色空間内での明度、Ｙ色における相違（デルタＹ）である。
【０１８２】
【表１３】
2016535153.tif 000014
【０１８３】
ＳＴＡ１を含めた染み抜き剤１は、Ｄｏｗａｎｏｌ  ＤＰＭを含む以外は同一の組成物よりも大きく改善された汚れ処理力を示した。
【０１８４】
本発明は、単なる例として記載される上記実施形態の詳細に限定されるものではないことは理解されたい。多くの変更が可能である。
【国際調査報告】
2016535153.tif 000015
2016535153.tif 000016
2016535153.tif 000017